(57)【要約】【課題】ディスク装置の搭載の是非により、液晶テレビジョン受像機に生じるスペースを有効利用する。【解決手段】電源基板１２をＬＣＤカバー８に固定するための取付孔を、ディスク装置一体型の構成に必要なＭＰＥＧ基板１０に形成する取付孔と同寸法にて形成し、ＬＣＤカバー８に形成する取付部に固定する。これにより、ディスク装置非一体型の構成時の場合不要であるＭＰＥＧ基板１０を取り外し、ＭＰＥＧ基板１０を取り付けるためのＬＣＤカバー８に形成される取付部を、そのまま電源基板１２の取付部として利用することができ、ＡＣアダプタのような外部電源装置を不要とすることができる。【選択図】図１
2007235413.tif 000002
【特許請求の範囲】
【請求項１】
映像を表示する液晶パネルと、
映像信号を前記液晶パネルに映像を表示するための信号に変換する略長方形のＳＣＡＬＥＲ基板と、
放送電波を受信し同調や選局を行うチューナや映像音声処理回路や外部入出力端子等を備えるメイン基板と、
前記メイン基板を通じて装置全体に電源を供給する電源供給手段と、
前記液晶パネルを取り付け、該液晶パネルの背面を保護すると共に各種回路基板や前記ディスク装置等を取り付けるためのカバーであるＬＣＤ（Ｌｉｑｕｉｄ  Ｃｒｙｓｔａｌ  Ｄｉｓｐｌａｙ）カバーとを備え、
記録媒体の再生、若しくは記録及び再生が可能なディスク装置と、
前記ディスク装置から得る映像音声信号の伸長及び復号を行う略長方形のＭＰＥＧ基板を設けることで、ディスク装置一体型の構成とすることが可能な液晶テレビジョン受像機であって、
前記ディスク装置一体型の構成の場合の電源供給手段を、装置外部から接続するＡＣアダプタとし、
前記ディスク装置一体型の構成ではない場合の電源供給手段を、装置内部に取り付ける略長方形の電源基板とし、
前記ＭＰＥＧ基板及び前記電源基板の前記ＬＣＤカバーに取り付けるための複数の取付孔部を同寸法で形成すると共に、前記ＭＰＥＧ基板及び前記電源基板を取り付けるための前記ＬＣＤカバーに形成される取付部を双方兼用の共通取付部として形成し、
前記ディスク装置一体型の構成の場合は、前記共通取付部に前記ＭＰＥＧ基板を取り付け、
前記ディスク装置一体型の構成ではない場合は、前記共通取付部に電源基板を取り付けることを特徴とする液晶テレビジョン受像機。
【請求項２】
前記メイン基板の取付部を前記ＬＣＤカバーの下方に配置し、前記ディスク装置の取付部を前記メイン基板の取付部に対して上方且つ前記ＬＣＤカバーの左右何れかの端部に配置し、前記ＳＣＡＬＥＲ基板の取付部を前記ディスク装置の取付部と逆側の端部に配置し、前記共通取付部を前記メイン基板の取付部の上方且つ前記ディスク装置の取付部に隣接する位置に配置することを特徴とする請求項１に記載の液晶テレビジョン受像機。
【請求項３】
前記ＳＣＡＬＥＲ基板及び前記電源基板は、前記ＬＣＤカバーに取り付けるための取付孔を少なくとも基板の四隅に形成し、該取付孔は少なくとも前記液晶テレビジョン受像機の短辺と同一方向において、双方の基板で等しい距離とすると共に、
ディスク装置から最も離れた前記ＳＣＡＬＥＲ基板用取付部を、最もディスク装置から離れた共通取付部から、４つの前記電源基盤の取付孔の前記液晶テレビジョン受像機の長辺と同一方向の間隔と等しい距離に位置決めをし、
更に基板入替用取付部を、最もディスク装置から近い前記共通取付部から、ディスク装置と逆方向、且つＳＣＡＬＥＲ基板の取付孔の前記液晶テレビジョン受像機の長方向と同一方向の間隔と等しい距離の箇所に位置決めをし、形成したことを特徴とする請求項１又は２記載の液晶テレビジョン受像機。
【請求項４】
前記ディスク装置一体型の構成である液晶テレビジョン受像機は、
前記ＭＰＥＧ基板を前記ディスク装置と積層状に配置し、
前記ＭＰＥＧ基板に替わって前記ＬＣＤカバーに前記電源基板を配置したことを特徴とする請求項１乃至３の何れか１項記載の液晶テレビジョン受像機。
【請求項５】
前記液晶パネルの表示部の対角長が１４インチ又は１５インチであることを特徴とする請求項１乃至４の何れか１項記載の液晶テレビジョン受像機。
【発明の詳細な説明】
【技術分野】
【０００１】
本発明は、特にディスク装置一体型と非一体型の両方に対応することが可能な基板配置構造を備える液晶テレビジョン受像機に関する。
【背景技術】
【０００２】
近年、液晶テレビジョン受像機は、薄型・小型化され、ＤＶＤ（Ｄｉｇｉｔａｌ  Ｖｅｒｓａｔｉｌｅ  Ｄｉｓｃ）やＨＤＤ（Ｈａｒｄ  Ｄｉｓｋ  Ｄｒｉｖｅ）等の記憶媒体による映像音声の記憶が可能なディスク装置を内蔵することで、更なる省スペース化が図られている。本願出願人は、特許文献１において、小型液晶テレビジョン受像機及び大型液晶テレビジョン受像機において、ディスク装置、ディスク装置制御基板、メイン制御基板を共通のものとすることで、専用の基板を必要とせずに、製造時のコストを低減させる方法が開示している。
【０００３】
【特許文献１】特開２００５−２６７７７３号公報
【発明の開示】
【発明が解決しようとする課題】
【０００４】
また、同型の液晶テレビジョン受像機においても、コストや機能面におけるユーザへの選択肢として、ディスク装置を内蔵しない構成の液晶テレビジョン受像機も必要不可欠である。しかしながら、特許文献１が開示する方法では、ディスク装置非一体型の構成とした際に、ディスク装置、ディスク装置制御基板等が配置されていた位置に余剰スペースが生じてしまう。
【０００５】
また、液晶パネルのサイズが大きい場合は、液晶パネル背面のスペースが広くなり、搭載可能な基板の面積を大きくしたり、基板の枚数を多く取り付けることが可能であり、例えば内部に電源基板を有することが可能であるが、液晶パネルの小さい場合、例えば１４インチの液晶パネルでは、背面のスペースが十分ではないため、電源基板を搭載することができず、ＡＣアダプタ等の外部電源装置を用いることが一般的である。
【０００６】
本発明は上記課題を鑑みてなされたものであり、ディスク装置一体型の構成と、非一体型の構成とを選択可能であり、非一体型の構成とした場合の余剰スペースに電源供給用の電源基板を搭載し、有効利用することが可能な液晶テレビジョン受像機を提供することを目的とする。
【課題を解決するための手段】
【０００７】
請求項１に係る液晶テレビジョン受像機は、映像を表示する液晶パネルと、
映像信号を前記液晶パネルに映像を表示するための信号に変換するＳＣＡＬＥＲ基板と、
放送電波を受信し同調や選局を行うチューナや映像音声処理回路や外部入出力端子等を備えるメイン基板と、
前記メイン基板を通じて装置全体に電源を供給する電源供給手段と、
前記液晶パネルを取り付け、該液晶パネルの背面を保護すると共に各種回路基板や前記ディスク装置等を取り付けるためのカバーであるＬＣＤ（Ｌｉｑｕｉｄ  Ｃｒｙｓｔａｌ  Ｄｉｓｐｌａｙ）カバーとを備え、
記録媒体の再生、若しくは記録及び再生が可能なディスク装置と、
前記ディスク装置から得る映像音声信号の伸長及び復号を行うＭＰＥＧ基板を設けることで、ディスク装置一体型の構成とすることが可能な液晶テレビジョン受像機であって、
前記ディスク装置一体型の構成の場合の電源供給手段を、装置外部から接続するＡＣアダプタとし、
前記ディスク装置一体型の構成ではない場合の電源供給手段を、装置内部に取り付ける電源基板とし、
前記ＭＰＥＧ基板及び前記電源基板の前記ＬＣＤカバーに取り付けるための複数の取付孔部を同寸法で形成すると共に、前記ＭＰＥＧ基板及び前記電源基板を取り付けるための前記ＬＣＤカバーに形成される取付部を双方兼用の共通取付部として形成し、
前記ディスク装置一体型の構成の場合は、前記共通取付部に前記ＭＰＥＧ基板を取り付け、
前記ディスク装置一体型の構成ではない場合は、前記共通取付部に電源基板を取り付けることを特徴とする。
【０００８】
請求項１の構成によれば、ディスク装置一体型の構成の場合に必要なＭＰＥＧ基板の取付部と同様の寸法によって、電源基板の取付部を形成することにより、ディスク装置非一体型の構成時において不必要なＭＰＥＧ基板を排除した際に生まれるスペースに、電源基板を取り付けることができる。
【０００９】
請求項２に係る液晶テレビジョン受像機は、請求項１記載の液晶テレビジョン受像機において、前記メイン基板の取付部を前記ＬＣＤカバーの下方に配置し、前記ディスク装置の取付部を前記メイン基板の取付部に対して上方且つ前記ＬＣＤカバーの左右何れかの端部に配置し、前記ＳＣＡＬＥＲ基板の取付部を前記ディスク装置の取付部と逆側の端部に配置し、前記共通取付部を前記メイン基板の取付部の上方且つ前記ディスク装置の取付部に隣接する位置に配置することを特徴とする。
【００１０】
請求項２の構成によれば、共通取付部をディスク装置と隣接させる。即ち、共通取付部に取り付けるＭＰＥＧ基板と電気的に接続するディスク装置を、隣接させることができる。
【００１１】
請求項３に係る液晶テレビジョン受像機は、請求項１又は２に記載の液晶テレビジョン受像機において、前記ＳＣＡＬＥＲ基板及び前記電源基板は、前記ＬＣＤカバーに取り付けるための取付孔を少なくとも基板の四隅に形成し、該取付孔は少なくとも前記液晶テレビジョン受像機の短辺と同一方向において、双方の基板で等しい距離とすると共に、
ディスク装置から最も離れた前記ＳＣＡＬＥＲ基板用取付部を、最もディスク装置から離れた共通取付部から、４つの前記電源基盤の取付孔の前記液晶テレビジョン受像機の長辺と同一方向の間隔と等しい距離に位置決めをし、
更に基板入替用取付部を、最もディスク装置から近い前記共通取付部から、ディスク装置と逆方向、且つＳＣＡＬＥＲ基板の取付孔の前記液晶テレビジョン受像機の長方向と同一方向の間隔と等しい距離の箇所に位置決めをし、形成したことを特徴とする。
【００１２】
請求項３の構成によれば、ＳＣＡＬＥＲ基板及び電源基板に穿設する取付孔の、液晶テレビジョン受像機の短辺と同一方向、即ち液晶テレビジョン受像機を設置した際の縦方向の間隔を、双方の基板で等しくし、更にディスク装置から最も離れた共通取付部から、電源基板の液晶テレビジョン受像機の長辺と同一方向、即ち液晶テレビジョン受像機を設置した際の水平方向と同一方向の取付孔の間隔と等しい距離に、ＳＣＡＬＥＲ基板用取付部を位置決めし、更に基板入替用取付部を、最もディスク装置に近い共通取付部から、ＳＣＡＬＥＲ基板の液晶テレビジョン受像機を設置した際の水平方向と同一方向の取付孔の間隔と等しい距離に形成することにより、ＳＣＡＬＥＲ基板及び電源基板の位置関係を自由に入れ替えることができる。
【００１３】
請求項４に係る液晶テレビジョン受像機は、請求項１乃至３の何れか１項記載の液晶テレビジョン受像機において、前記ディスク装置一体型の構成である液晶テレビジョン受像機は、
前記ＭＰＥＧ基板を前記ディスク装置と積層状に配置し、
前記ＭＰＥＧ基板に替わって前記ＬＣＤカバーに前記電源基板を配置したことを特徴とする。
【００１４】
請求項４の構成によれば、ディスク装置一体型の構成とした液晶テレビジョン受像機において、ＡＣアダプタを用いず、電源基板による電源供給を行うことができる。
【００１５】
請求項５に係る液晶テレビジョン受像機は、請求項１乃至４の何れか１項記載の液晶テレビジョン受像機において、前記液晶パネルの表示部の対角長が１４インチ又は１５インチであることを特徴とする。
【００１６】
請求項５の構成によれば、液晶パネルの対角長が１４インチ又は１５インチである小型の液晶テレビジョン受像機の内部に、余剰スペースを生むことなく有効利用することができる。
【発明の効果】
【００１７】
請求項１に係る液晶テレビジョン受像機は、映像を表示する液晶パネルと、
映像信号を前記液晶パネルに映像を表示するための信号に変換するＳＣＡＬＥＲ基板と、
放送電波を受信し同調や選局を行うチューナや映像音声処理回路や外部入出力端子等を備えるメイン基板と、
前記メイン基板を通じて装置全体に電源を供給する電源供給手段と、
前記液晶パネルを取り付け、該液晶パネルの背面を保護すると共に各種回路基板や前記ディスク装置等を取り付けるためのカバーであるＬＣＤ（Ｌｉｑｕｉｄ  Ｃｒｙｓｔａｌ  Ｄｉｓｐｌａｙ）カバーとを備え、
記録媒体の再生、若しくは記録及び再生が可能なディスク装置と、
前記ディスク装置から得る映像音声信号の伸長及び復号を行うＭＰＥＧ基板を設けることで、ディスク装置一体型の構成とすることが可能な液晶テレビジョン受像機であって、
前記ディスク装置一体型の構成の場合の電源供給手段を、装置外部から接続するＡＣアダプタとし、
前記ディスク装置一体型の構成ではない場合の電源供給手段を、装置内部に取り付ける電源基板とし、
前記ＭＰＥＧ基板及び前記電源基板の前記ＬＣＤカバーに取り付けるための複数の取付孔部を同寸法で形成すると共に、前記ＭＰＥＧ基板及び前記電源基板を取り付けるための前記ＬＣＤカバーに形成される取付部を双方兼用の共通取付部として形成し、
前記ディスク装置一体型の構成の場合は、前記共通取付部に前記ＭＰＥＧ基板を取り付け、
前記ディスク装置一体型の構成ではない場合は、前記共通取付部に電源基板を取り付けるので、ディスク装置非一体型の液晶テレビジョン受像機におけるディスク装置及びＭＰＥＧ基板を取り除いたことによって生じるスペースに、電源基板を搭載し、ＡＣアダプタを不要とし、省スペース化を図ることができ、また、ディスク装置一体型の液晶テレビジョン受像機として構成する場合は、ディスク装置及びＭＰＥＧ基板を搭載し、ＡＣアダプタによる電源供給を行うことができる。即ち、ディスク装置一体型及び非一体型の２種類の液晶テレビジョン受像機において、ＬＣＤカバーを共通部品とすることができ、これに搭載する基板及び電子部品を、それぞれにおいて、より多くの共通部品にて構成することができるので、ディスク装置一体型及び非一体型の固有のＬＣＤカバーを作るための金型代の節約や、構成部品の点数の増加を抑え、管理をしやすくすることができる。
【００１８】
請求項２に係る液晶テレビジョン受像機は、請求項１記載の液晶テレビジョン受像機において、前記メイン基板の取付部を前記ＬＣＤカバーの下方に配置し、前記ディスク装置の取付部を前記メイン基板の取付部に対して上方且つ前記ＬＣＤカバーの左右何れかの端部に配置し、前記ＳＣＡＬＥＲ基板の取付部を前記ディスク装置の取付部と逆側の端部に配置し、前記共通取付部を前記メイン基板の取付部の上方且つ前記ディスク装置の取付部に隣接する位置に配置するので、ディスク装置と電気的に接続する必要があるＭＰＥＧ基板を、ディスク装置の近傍に配置することができ、配線の取り回しを容易にすることができ、更にディスク装置非一体型の構成とする際に、不要な部品であるディスク装置及びＭＰＥＧ基板を取り除くことにより、当該部品が隣接しているので、より広い余剰スペースを確保することができる。
【００１９】
請求項３に係る液晶テレビジョン受像機は、請求項１又は２に記載の液晶テレビジョン受像機において、前記ＳＣＡＬＥＲ基板及び前記電源基板は、前記ＬＣＤカバーに取り付けるための取付孔を少なくとも基板の四隅に形成し、該取付孔は少なくとも前記液晶テレビジョン受像機の短辺と同一方向において、双方の基板で等しい距離とすると共に、
ディスク装置から最も離れた前記ＳＣＡＬＥＲ基板用取付部を、最もディスク装置から離れた共通取付部から、４つの前記電源基盤の取付孔の前記液晶テレビジョン受像機の長辺と同一方向の間隔と等しい距離に位置決めをし、
更に基板入替用取付部を、最もディスク装置から近い前記共通取付部から、ディスク装置と逆方向、且つＳＣＡＬＥＲ基板の取付孔の前記液晶テレビジョン受像機の長方向と同一方向の間隔と等しい距離の箇所に位置決めをし、形成したので、ＳＣＡＬＥＲ基板と電源基板の配置を入れ替えることができ、例えばメイン基板上にノイズに弱い電子部品が搭載されており、この電子部品から電源基板を遠ざける必要がある場合でも、容易に電源基板の配置を変更することができる。
【００２０】
請求項４に係る液晶テレビジョン受像機は、請求項１乃至３の何れか１項記載の液晶テレビジョン受像機において、前記ディスク装置一体型の構成である液晶テレビジョン受像機は、
前記ＭＰＥＧ基板を前記ディスク装置と積層状に配置し、
前記ＭＰＥＧ基板に替わって前記ＬＣＤカバーに前記電源基板を配置したので、ディスク装置一体型液晶テレビジョン受像機であっても、電源基板を搭載することが可能で、ＡＣアダプタによる電源供給の必要が無くなるため、省スペース化を図ることができる。
【００２１】
請求項５に係る液晶テレビジョン受像機は、請求項１乃至４の何れか１項記載の液晶テレビジョン受像機において、前記液晶パネルの表示部の対角長が１４インチ又は１５インチであるので、従前からある小型液晶テレビジョン受像機の更なる省スペース化を図ることができる。
【発明を実施するための最良の形態】
【００２２】
以下、本発明を実施するための最良の形態としての実施例を図１から図８を参照して説明する。もちろん、本発明は、その発明の趣旨に反さない範囲で、実施例において説明した以外のものに対しても容易に適用可能なことは説明を要するまでもない。
【００２３】
図１〜図８は、本発明の実施例を示し、図１は、液晶テレビジョン受像機の正面図である。図２は、液晶テレビジョン受像機の側面図である。図３は、液晶テレビジョン受像機の平面図である。図４は、バックキャビネットを取り外した状態の液晶テレビジョン受像機の背面図である。図５は、ディスク装置一体型構成の液晶テレビジョン受像機に備えるＬＣＤカバー及びこれに取り付けるディスク装置及び各基板の基板配置構造を示す平面図である。図６は、ＬＣＤカバーにディスク装置及びＭＰＥＧ基板を取り付けず、替わって電源基板を取り付けた基板配置構造を示す平面図である。図７は図５に示すＳＣＡＬＥＲ基板及び電源基板の配置を入れ替えた基板配置構造を示す平面図である。図８は、図４に示すＭＰＥＧ基板をディスク装置と積層状に配置し、ＭＰＥＧ基板の配置位置であった箇所に電源基板を配置する基板配置構造を示す平面図である。
【実施例１】
【００２４】
本実施例における液晶テレビジョン受像機の構成について、図１〜４に基づいて説明する。図１はディスク装置一体型である液晶テレビジョン受像機の正面図であり、１は液晶テレビジョン受像機である。２はフロントキャビネットであり、３は受信した映像を表示する１４インチサイズの液晶パネルである。４は脚部である。図２は液晶テレビジョン受像機１のディスク挿入口側を示す側面図である。５はＤＶＤ（Ｄｉｇｉｔａｌ  Ｖｅｒｓａｔｉｌｅ  Ｄｉｓｃ）の再生又は記録再生を行うディスク装置であり、５１はディスクをディスク装置５にセットするためのディスク挿入口である。図３は液晶テレビジョン受像機１の上部を示す平面図である。６はバックキャビネットであり、７は液晶テレビジョン受像機１の操作を行うための操作部であり、７１は液晶テレビジョン受像機のテレビ機能の操作を、７２はディスク装置に関する操作を行うための操作ボタンである。図４はバックキャビネット６を取り外した状態を示す液晶テレビジョン受像機１の背面図である。８は液晶パネル３をフロントキャビネット２と挟持し、後述の各種基板やディスク装置５を固定すると共に、各種基板が発生するノイズを液晶パネル３から遮蔽するための金属製のＬＣＤカバーである。９はチューナや外部入力端子を有するメイン基板である。１０はディスク装置５から得る映像音声信号の伸長及び復号を行うＭＰＥＧ基板であり、１１は映像信号を前記液晶パネルに映像を表示するための信号に変換するＳＣＡＬＥＲ基板である。
【００２５】
次に、液晶テレビジョン受像機のディスク装置一体型の構成と非一体型の構成について図５及び６に基づいて説明する。図５はディスク装置一体型の構成である液晶テレビジョン受像機のＬＣＤカバー及びこれに取り付けられた各種部品を示す平面図である。ＬＣＤカバー８の下半分にメイン基板９を配置し、上半分にディスク装置５、ＭＰＥＧ基板１０、ＳＣＡＬＥＲ基板１１の順に配置する。ＭＰＥＧ基板１０には取付孔１０１、１０２、１０３、１０４が形成され、ＳＣＡＬＥＲ基板１１にも同様に取付孔１１１、１１２、１１３、１１４が形成される。ＬＣＤカバー８には、ＭＰＥＧ基板１０を取り付けるための取付部８１ａ、８１ｂ、８１ｃ、８１ｄとＳＣＡＬＥＲ基板１１を取り付けるための取付部８２ａ、８２ｂ、８２ｃ、８２ｄが形成される。
【００２６】
図６はディスク装置非一体型の構成である液晶テレビジョン受像機のＬＣＤカバー及びこれに取り付けられた各種部品を示す平面図である。１２は液晶テレビジョン受像機１に電源を供給するための電源基板である。図５と比較して、ディスク装置５を取り外し、ＭＰＥＧ基板１０が取り付けられる位置に電源基板１２を配置する。この電源基板１２の取付孔１２１、１２２、１２３、１２４は、それぞれＭＰＥＧ基板１０の取付孔１０１、１０２、１０３、１０４と同じ寸法及び間隔で形成される。これにより、電源基板１２は、ＭＰＥＧ基板１０のＬＣＤカバーの取付部８１ａ、８１ｂ、８１ｃ、８１ｄによって取り付けることが可能である。即ちＭＰＥＧ基板１０と電源基板１２は共通の取付部を使用することが可能となる。以降、取付部８１ａ、８１ｂ、８１ｃ、８１ｄを総じて共通取付部と称呼する。
【００２７】
続いて、ＭＰＥＧ基板１０若しくは電源基板１２と、ＳＣＡＬＥＲ基板１１の位置関係を入れ替えることができる構成について、図７に基づいて説明する。８３ａ及び８３ｂは基板を入れ替える際に用いる基板入替用取付部である。以下、ＭＰＥＧ基板１０及び電源基板１２の外形及び取付孔の寸法が同じであることから、電源基板１２のみにより説明する。まず、電源基板１２の取付孔１２１及び１２２の間隔を、ＳＣＡＬＥＲ基板１１の取付孔１１１及び１１２の間隔と等しくなるよう形成する。同様に、電源基板１２の取付孔１２３及び１２４の間隔を、ＳＣＡＬＥＲ基板１１の取付孔１１３及び１１４の間隔と等しくなるよう形成する。続いて、共通取付部８１ａ、８１ｂ、８１ｃ、８１ｄを、ディスク装置５から適宜離れた位置に、ＭＰＥＧ基板１０若しくは電源基板１２の寸法に基づいて位置決めを行う。続いて、ＳＣＡＬＥＲ基板取付部８２ａ、８２ｂ、８２ｃ、８２ｄの位置決めを行うが、この際、ＳＣＡＬＥＲ基板取付部８２ｃを、共通取付部８１ａ及び８１ｃの間隔分、共通取付部８１ｃから距離を取った箇所に位置決めする。同様にＳＣＡＬＥＲ基板取付部８２ｄを、共通取付部８１ｂ及び８１ｄの間隔分、共通取付部８１ｃから距離を取った箇所に位置決めする。このようにＳＣＡＬＥＲ基板取付部８２ｃ及び８２ｄの位置決めが行われるので、ＳＣＡＬＥＲ基板１１の寸法に基づいて、ＳＣＡＬＥＲ基板取付部８２ａ及び８２ｂの位置決めを行うことができる。
【００２８】
更に基板入替用取付部８３ａ及び８３ｂの位置決めを行う。基板入替用取付部８３ａを、共通取付部８１ａから、ディスク再生装置と逆方向、且つＳＣＡＬＥＲ基板取付部８２ａ及び８２ｃと等しい距離の箇所に位置決めする。同様に基板入替用取付部８３ｂを、共通取付部８１ｂから、ディスク再生装置と逆方向、且つＳＣＡＬＥＲ基板取付部８２ｂ及び８２ｄと等しい距離の箇所に位置決めする。このように基板入替用取付部８３ａ及び８３ｂを位置決めすることにより、例えば電源基板１２とＳＣＡＬＥＲ基板１１の位置関係を入れ替える際に、ＳＣＡＬＥＲ基板１１は、これが有する取付孔１１１、１１２、１１３、１１４を、それぞれ共通取付部８１ａ、共通取付部８１ｂ、基板入替用取付部８３ａ、基板取付用取付部８３ｂに対応させることによりＬＣＤカバー８に取り付けることが可能であり、このとき、電源基板１２は、これが有する取付孔１２１、１２２、１２３、１２４を、それぞれ共通取付部８１ｃ、共通取付部８１ｄ、ＳＣＡＬＥＲ基板用取付部８２ｃ、ＳＣＡＬＥＲ基板用取付部８２ｄに対応させることでＬＣＤカバー８に取り付けることができる。
【００２９】
以上のような、液晶テレビジョン受像機１の基板配置構造によれば、ディスク装置５一体型の構成と、非一体型の構成とを製造する際の、双方において共通の部品を多数用いるような場合、ＭＰＥＧ基板１０及び電源基板１２を、共通取付部８１ａ、８１ｂ、８１ｃ、８１ｄにより取り付けることができるため、ＬＣＤカバーの形状の共通化ができると共に、ディスク装置５及びＭＰＥＧ基板１０を必要としないディスク装置非一体型構成である液晶テレビジョン受像機１において、従来の１４インチサイズの小型液晶テレビジョン受像機で必要不可欠であったＡＣアダプタ等の外部電源装置を必要とせず省スペース化を図ることができる。また、入替用取付部８３ａ及び８３ｂにより、ＭＰＥＧ基板１０若しくは電源基板１２と、ＳＣＡＬＥＲ基板１１の位置関係を入れ替えることが可能なので、例えばメイン基板９に配置されるチューナ９１などのノイズの干渉によって動作に影響がでる部品から、ＭＰＥＧ基板１０や電源基板１２を遠ざける必要性がある場合に、新たにＬＣＤカバー８の形成や部品の追加を行うことなく、柔軟且つ低コストで基板配置の変更を行うことができる。
【実施例２】
【００３０】
本実施例における液晶テレビジョン受像機の構成について、図８に基づいて説明する。図８に示すように、ディスク装置５が重なるように、ディスク装置５とＬＣＤカバー８の間にＭＰＥＧ基板１０を配置する。ＭＰＥＧ基板１０は共通取付部８１ａ、８１ｂ、８１ｃ、８１ｄを占有しないため、ここに電源基板１２の取り付けを行う。これにより、ディスク装置一体型液晶テレビジョン受像機の構成であっても、ＡＣアダプタのような外部電源装置を必要とせず、省スペース化を図ることが可能である。
【００３１】
以上、本発明の実施例について詳述したが、本発明の前記各実施例に限定されるものではなく、本発明の要旨の範囲内で種々の変形実施は可能である。例えば、ディスク装置５をＤＶＤの再生若しくは記録再生を行うものとしたが、これに限定せずに、ＣＤやＣＤ−Ｒ、ＣＤ−ＲＷ、その他の記録媒体を用いたディスク装置であっても何ら問題はない。また、液晶パネルを１４インチサイズとしたが、これに限定せずに本発明を１５インチの液晶パネルに適用しても、何ら問題はない。
【図面の簡単な説明】
【００３２】
【図１】本発明の実施例１における、液晶テレビジョン受像機を示す正面図である。
【図２】同上、液晶テレビジョン受像機を示す側面図である。
【図３】同上、液晶テレビジョン受像機を示す平面図である。
【図４】同上、液晶テレビジョン受像機のバックキャビネットを取り外した状態を示す背面図である。
【図５】同上、ディスク装置一体型構成の液晶テレビジョン受像機が備えるＬＣＤカバーに各種基板を取り付けた状態を示す平面図である。
【図６】同上、ディスク装置非一体型構成の液晶テレビジョン受像機が備えるＬＣＤカバーに各種基板を取り付けた状態を示す平面図である。
【図７】同上、図６における電源基板及びＳＣＡＬＥＲ基板の位置関係を入れ替えた状態を示す説明図である。
【図８】本発明の実施例２における、ＬＣＤカバーに各種基板を取り付けた状態を示す平面図である。
【符号の説明】
【００３３】
１    液晶テレビジョン受像機
５    ディスク装置
８    ＬＣＤカバー
８１ａ、８１ｂ、８１ｃ、８１ｄ  共通取付部
８２ａ、８２ｂ、８２ｃ、８２ｄ  ＳＣＡＬＥＲ基板取付部
８３ａ、８３ｂ  基板入替用取付部
９    メイン基板
１０  ＭＰＥＧ基板
１１  ＳＣＡＬＥＲ基板
１２  電源基板
【図１】
2007235413.tif 000003
【図２】
2007235413.tif 000004
【図３】
2007235413.tif 000005
【図４】
2007235413.tif 000006
【図５】
2007235413.tif 000007
【図６】
2007235413.tif 000008
【図７】
2007235413.tif 000009
【図８】
2007235413.tif 000010